【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
メッシュネットワークの非メンバーデバイスの、前記メッシュネットワークのメンバーデバイスとのピア関連付けの方法であって、
前記非メンバーデバイスから前記メッシュネットワークの前記メンバーデバイスへ認証リクエストを送信することと、ここにおいて、前記認証リクエストはパスワードに基づく、
前記メンバーデバイスからの認証レスポンスを前記非メンバーデバイスによって受信することと、
前記非メンバーデバイスから前記メンバーデバイスへ、前記認証レスポンスに基づいて関連付けリクエストを送信することと、ここにおいて、前記関連付けリクエストは前記パスワードにさらに基づく、
前記メンバーデバイスからの関連付けレスポンスを前記非メンバーデバイスによって受信することと、
を備え、
前記認証レスポンスに基づいてペアワイズマスターキー（ＰＭＫ）を生成することと、
前記認証レスポンスからナンスを復号することと、
前記ペアワイズマスターキー（ＰＭＫ）および前記ナンスに基づいてペアワイズ一時キー（ＰＴＫ）を生成することと、
前記ペアワイズ一時キーに基づいて前記関連付けリクエストを生成することと、
をさらに備える、方法。
【請求項２】
前記関連付けレスポンスから前記メッシュネットワークのメンバーデバイスに対して使用される共通グループキーを復号すること
をさらに備える、請求項１に記載の方法。
【請求項３】
メッシュピアリングインスタンス識別子に基づいて前記ペアワイズ一時キーを生成することをさらに備える、請求項２に記載の方法。
【請求項４】
前記ペアワイズ一時キーに基づいてメッセージ完全性コード（ＭＩＣ）を生成することと、
前記メッセージ完全性コードを示すための前記関連付けリクエストを生成することと、
をさらに備える、請求項２に記載の方法。
【請求項５】
関連付け識別子を前記メンバーデバイスに割り当てることと、
前記メンバーデバイスの前記関連付け識別子を示すための前記関連付けリクエストをさらに生成することと、
をさらに備える、請求項４に記載の方法。
【請求項６】
前記関連付けレスポンスから関連付け識別子を復号することと、
前記関連付け識別子を備えるためのメッシュメッセージを生成することと、
前記メッシュメッセージを前記メンバーデバイスへ送信することと、
をさらに備える、請求項４に記載の方法。
【請求項７】
メッシュネットワーク上のピアに関連付けるための装置であって、
パスワードに基づいて認証リクエストを生成するための手段と、
前記メッシュネットワークのメンバーデバイスへ前記認証リクエストを送信するための手段と、
前記メンバーデバイスからの認証レスポンスを受信するための手段と、
前記認証レスポンスおよび前記パスワードに基づいて関連付けリクエストを生成するための手段と、
前記関連付けリクエストを前記メンバーデバイスへ送信するための手段と、
前記メンバーデバイスからの関連付けレスポンスを受信するための手段と、
を備え、
前記認証レスポンスに基づいてペアワイズマスターキー（ＰＭＫ）を生成するための手段と、
前記認証レスポンスからナンスを復号するための手段と、
前記ペアワイズマスターキー（ＰＭＫ）および前記ナンスに基づいてペアワイズ一時キー（ＰＴＫ）を生成するための手段と、
前記ペアワイズ一時キーに基づいて前記関連付けリクエストを生成するための手段と、
をさらに備える、装置。
【請求項８】
メッシュネットワークの非メンバーデバイスを、前記メッシュネットワークのメンバーデバイスに関連付ける方法であって、
前記メッシュネットワークの前記メンバーデバイスによって認証リクエストを受信することと、
前記メンバーデバイスから前記非メンバーデバイスへ認証レスポンスを送信することと、ここにおいて、前記認証レスポンスはパスワードに基づく、
前記非メンバーデバイスからの関連付けリクエストを前記メンバーデバイスによって受信することと、
前記メンバーデバイスから前記非メンバーデバイスへ関連付けレスポンスを送信することと、ここにおいて、前記関連付けレスポンスは前記パスワードに基づく、
を備え、
前記認証リクエストからナンスを復号することと、
前記認証リクエストに基づいてペアワイズマスターキー（ＰＭＫ）を生成することと、
前記ペアワイズマスターキー（ＰＭＫ）および前記ナンスに基づいてペアワイズ一時キー（ＰＴＫ）を生成することと、
前記ペアワイズ一時キーに基づいて前記関連付けレスポンスを生成することと、
をさらに備える、方法。
【請求項９】
前記関連付けレスポンスは、前記メッシュネットワークのメンバーデバイスに対して使用される共通グループキーを備える、請求項８に記載の方法。
【請求項１０】
メッシュピアリングインスタンス識別子に基づいて前記ペアワイズ一時キー（ＰＴＫ）を生成することをさらに備える、請求項９に記載の方法。
【請求項１１】
前記ペアワイズ一時キーに基づいてメッセージ完全性コード（ＭＩＣ）を生成することと、
前記メッセージ完全性コードを示すための前記関連付けレスポンスを生成することと、
をさらに備える、請求項９に記載の方法。
【請求項１２】
関連付け識別子を前記非メンバーデバイスに割り当てることと、
前記非メンバーデバイスの前記関連付け識別子を示すための前記関連付けレスポンスをさらに生成することと、
をさらに備える、請求項１１に記載の方法。
【請求項１３】
関連付け識別子を決定するために前記関連付けリクエストを復号することと、
前記関連付け識別子を備えるためのメッシュメッセージを生成することと、
前記メッシュメッセージを前記非メンバーデバイスへ送信することと、
をさらに備える、請求項１１に記載の方法。
【請求項１４】
メッシュネットワークの非メンバーデバイスに関連付けるための前記メッシュネットワークのメンバー装置であって、
前記非メンバーデバイスからの認証リクエストを受信するための手段と、
前記メンバー装置から前記非メンバーデバイスへ認証レスポンスを送信するための手段と、ここにおいて、前記認証レスポンスはパスワードに基づく、
前記非メンバーデバイスからの関連付けリクエストを受信するための手段と、
前記メンバー装置から前記非メンバーデバイスへ関連付けレスポンスを送信するための手段と、ここにおいて、前記関連付けレスポンスは前記パスワードに基づく、
を備え、
前記認証リクエストからナンスを復号するための手段と、
前記認証リクエストに基づいてペアワイズマスターキー（ＰＭＫ）を生成するための手段と、
前記ペアワイズマスターキー（ＰＭＫ）および前記ナンスに基づいてペアワイズ一時キー（ＰＴＫ）を生成するための手段と、
前記ペアワイズ一時キーに基づいて前記関連付けレスポンスを生成するための手段と、
をさらに備える、メンバー装置。
【請求項１５】
命令がコンピュータによって実行されるとき、請求項１乃至６および請求項８乃至１３のいずれかに記載の方法を実行するための前記命令を備える、コンピュータプログラム。
【手続補正２】
【補正対象書類名】明細書
【補正対象項目名】０１８０
【補正方法】変更
【補正の内容】
【０１８０】
[00197]開示されている実施形態の上記の説明は、当業者が開示されている実施形態を製作または使用することを可能にするために提供されている。これらの実施形態に対する様々な修正は、当業者には容易に明らかであり、本明細書で定義されている原理は、本開示の範囲から逸脱することなく、他の実施形態に適用され得る。したがって、本開示は、本明細書に示されている実施形態に限定されることを意図されておらず、以下の特許請求の範囲によって定義される原理および新規な特徴と一致する可能な最も広い範囲を与えられるべきである。
以下に、本願出願の当初の特許請求の範囲に記載された発明を付記する。
［Ｃ１］
メッシュネットワークの非メンバーデバイスの、前記メッシュネットワークのメンバーデバイスとのピア関連付けの方法であって、
前記非メンバーデバイスから前記メッシュネットワークの前記メンバーデバイスへ認証リクエストを送信することと、ここにおいて、前記認証リクエストはパスワードに基づく、
前記メンバーデバイスからの認証レスポンスを前記非メンバーデバイスによって受信することと、
前記非メンバーデバイスから前記メンバーデバイスへ、前記認証レスポンスに基づいて関連付けリクエストを送信することと、ここにおいて、前記関連付けリクエストは前記パスワードにさらに基づく、
前記メンバーデバイスからの関連付けレスポンスを前記非メンバーデバイスによって受信することと、
を備える、方法。
［Ｃ２］
前記認証レスポンスに基づいてペアワイズマスターキー（ＰＭＫ）を生成することと、
前記認証レスポンスからナンスを復号することと、
前記ペアワイズマスターキー（ＰＭＫ）および前記ナンスに基づいてペアワイズ一時キー（ＰＴＫ）を生成することと、
前記ペアワイズ一時キーに基づいて前記関連付けリクエストを生成することと、
をさらに備える、Ｃ１に記載の方法。
［Ｃ３］
メッシュピアリングインスタンス識別子に基づいて前記ペアワイズ一時キーを生成することをさらに備える、Ｃ２に記載の方法。
［Ｃ４］
前記ペアワイズ一時キーに基づいてメッセージ完全性コード（ＭＩＣ）を生成することと、
前記メッセージ完全性コードを示すための前記関連付けリクエストを生成することと、
をさらに備える、Ｃ２に記載の方法。
［Ｃ５］
関連付け識別子を前記メンバーデバイスに割り当てることと、
前記メンバーデバイスの前記関連付け識別子を示すための前記関連付けリクエストをさらに生成することと、
をさらに備える、Ｃ４に記載の方法。
［Ｃ６］
前記関連付けレスポンスから関連付け識別子を復号することと、
前記関連付け識別子を備えるためのメッシュメッセージを生成することと、
前記メッシュメッセージを前記メンバーデバイスへ送信することと、
をさらに備える、Ｃ４に記載の方法。
［Ｃ７］
前記パスワードに基づいて第１のメッセージ完全性コード（ＭＩＣ）を生成することと、
第２のメッセージ完全性コード（ＭＩＣ）を決定するために前記関連付けレスポンスを復号することと、
前記第１のメッセージ完全性コード（ＭＩＣ）を前記第２のメッセージ完全性コード（ＭＩＣ）と比較することと、
前記非メンバーデバイスが前記メンバーデバイスに関連付けられているかどうかを、前記比較に基づいて決定することと、
をさらに備える、Ｃ１に記載の方法。
［Ｃ８］
前記関連付けレスポンスからグループキーを復号することと、
第２の非メンバーデバイスからのメッシュメッセージを受信することと、
前記グループキーに基づいて前記メッシュメッセージを復号することと、
をさらに備える、Ｃ１に記載の方法。
［Ｃ９］
前記関連付けレスポンスからグループキーを復号することと、
シーケンス番号を備えるためのパスリクエストメッセージを生成することと、
前記グループキーに基づいて前記パスリクエストメッセージを暗号化することと、
前記暗号化されたパスリクエストメッセージを前記メッシュネットワーク上で送信することと、
をさらに備える、Ｃ１に記載の方法。
［Ｃ１０］
前記メッシュの第２のメンバーデバイスからのパスレスポンスメッセージを受信することと、
前記グループキーに基づいて前記パスレスポンスメッセージを暗号解読することと、
前記暗号解読されたパスレスポンスメッセージから前記シーケンス番号を復号することと、
前記暗号解読されたパスレスポンスに基づいて前記第２のメンバーデバイスに関連付けることと、
をさらに備える、Ｃ９に記載の方法。
［Ｃ１１］
前記メッシュ上の通信で使用するためのインターネットプロトコルアドレスを前記関連付けレスポンスから復号することをさらに備える、Ｃ１に記載の方法。
［Ｃ１２］
前記メッシュネットワーク上の通信で前記非メンバーデバイスによって使用するために提案されるインターネットプロトコルアドレスの少なくとも一部分を示すための前記認証リクエストを生成することをさらに備える、Ｃ１に記載の方法。
［Ｃ１３］
メッシュネットワークのメンバーデバイスに関連付けるための前記メッシュネットワークの非メンバー装置であって、
パスワードに基づいて認証リクエストを生成するように構成されたプロセッサと、
前記非メンバー装置から前記メッシュネットワークのメンバーデバイスへ前記認証リクエストを送信するように構成された送信機と、
前記メンバーデバイスからの認証レスポンスを受信するように構成された受信機と、
を備え、
前記プロセッサは、前記認証レスポンスおよび前記パスワードに基づいて関連付けリクエストを生成するようにさらに構成され、
前記送信機は、前記非メンバー装置から前記メンバーデバイスへ、前記関連付けリクエストを送信するようにさらに構成され、
前記受信機は、前記メンバーデバイスからの関連付けレスポンスを受信するようにさらに構成される、非メンバー装置。
［Ｃ１４］
前記プロセッサは、
前記認証レスポンスに基づいてペアワイズマスターキー（ＰＭＫ）を生成することと、
前記認証レスポンスからナンスを復号することと、
前記ペアワイズマスターキー（ＰＭＫ）および前記ナンスに基づいてペアワイズ一時キー（ＰＴＫ）を生成することと、
前記ペアワイズ一時キーに基づいて前記関連付けリクエストを生成することと、
を行うようにさらに構成される、Ｃ１３に記載の装置。
［Ｃ１５］
前記プロセッサは、メッシュピアリングインスタンス識別子に基づいて前記ペアワイズ一時キーを生成するようにさらに構成される、Ｃ１４に記載の装置。
［Ｃ１６］
前記プロセッサは、
前記ペアワイズ一時キーに基づいてメッセージ完全性コード（ＭＩＣ）を生成することと、
前記メッセージ完全性コードを示すための前記関連付けリクエストを生成することと、
を行うようにさらに構成される、Ｃ１４に記載の装置。
［Ｃ１７］
前記プロセッサは、
関連付け識別子を前記メンバーデバイスに割り当てることと、
前記メンバーデバイスの前記関連付け識別子を示すための前記関連付けリクエストをさらに生成することと、
を行うようにさらに構成される、Ｃ１５に記載の装置。
［Ｃ１８］
前記プロセッサは、
関連付け識別子を決定するために前記関連付けレスポンスを復号することと、
前記関連付け識別子を備えるためのメッシュメッセージを生成することと、
を行うようにさらに構成され、
前記送信機は、前記メッシュメッセージを前記メンバーデバイスへ送信するようにさらに構成される、Ｃ１５に記載の装置。
［Ｃ１９］
前記プロセッサは、
前記パスワードに基づいて第１のメッセージ完全性コード（ＭＩＣ）を生成することと、
第２のメッセージ識別コード（ＭＩＣ）を決定するために前記関連付けレスポンスを復号することと、
前記第１のメッセージ完全性コードを前記第２のメッセージ完全性コードと比較することと、
前記非メンバーデバイスが前記メンバーデバイスに関連付けられているかどうかを、前記比較に基づいて決定することと、
を行うようにさらに構成される、Ｃ１３に記載の装置。
［Ｃ２０］
前記プロセッサは、前記関連付けレスポンスからグループキーを復号するようにさらに構成され、
前記受信機は、第２の非メンバーデバイスからのメッシュメッセージを受信するようにさらに構成され、
前記プロセッサは、前記グループキーに基づいて前記メッシュメッセージを復号するようにさらに構成される、Ｃ１３に記載の装置。
［Ｃ２１］
前記プロセッサは、
前記関連付けレスポンスからグループキーを復号することと、
シーケンス番号を備えるためのパスリクエストメッセージを生成することと、
前記グループキーに基づいて前記パスリクエストメッセージを暗号化することと、
を行うようにさらに構成され、
前記送信機は、前記暗号化されたパスリクエストメッセージを前記メッシュネットワーク上で送信するようにさらに構成される、Ｃ１３に記載の装置。
［Ｃ２２］
前記送信機は、前記メッシュの第２のメンバーデバイスからのパスレスポンスメッセージを受信するようにさらに構成され、
前記プロセッサは、
前記グループキーに基づいて前記パスレスポンスメッセージを復号することと、
前記復号されたパスレスポンスメッセージから前記シーケンス番号を復号することと、
前記復号されたパスレスポンスメッセージに基づいて前記第２のメンバーデバイスに関連付けることと、
を行うようにさらに構成される、Ｃ２１に記載の装置。
［Ｃ２３］
前記プロセッサは、前記メッシュ上の通信で使用するためのインターネットプロトコルアドレスを前記関連付けレスポンスから復号するようにさらに構成される、Ｃ１３に記載の装置。
［Ｃ２４］
前記プロセッサは、前記メッシュネットワーク上の通信で前記非メンバーデバイスによって使用するために提案されるインターネットプロトコルアドレスの少なくとも一部分を示すための前記認証リクエストを生成するようにさらに構成される、Ｃ１３に記載の装置。
［Ｃ２５］
実行されたとき、メッシュネットワークの中の非メンバーデバイスの、前記メッシュネットワークのメンバーデバイスとのピア関連付けの方法をプロセッサに実行させる命令を備えるコンピュータ可読記憶媒体であって、前記方法は、
前記非メンバーデバイスから前記メッシュネットワークのメンバーデバイスへ認証リクエストを送信することと、ここにおいて、前記認証リクエストはパスワードに基づく、
前記メンバーデバイスからの認証レスポンスを前記非メンバーデバイスによって受信することと、
前記非メンバーデバイスから前記メンバーデバイスへ、前記認証レスポンスに基づいて関連付けリクエストを送信することと、ここにおいて、前記関連付けリクエストは前記パスワードにさらに基づく、
前記メンバーデバイスからの関連付けレスポンスを前記非メンバーデバイスによって受信することと、
を備える、コンピュータ可読記憶媒体。
［Ｃ２６］
前記方法は、
前記認証レスポンスに基づいてペアワイズマスターキー（ＰＭＫ）を生成することと、
前記認証レスポンスからナンスを復号することと、
前記ペアワイズマスターキー（ＰＭＫ）および前記ナンスに基づいてペアワイズ一時キー（ＰＴＫ）を生成することと、
前記ペアワイズ一時キーに基づいて前記関連付けリクエストを生成することと、
をさらに備える、Ｃ２５に記載のコンピュータ可読記憶媒体。
［Ｃ２７］
前記方法は、メッシュピアリングインスタンス識別子に基づいて前記ペアワイズ一時キー（ＰＴＫ）を生成することをさらに備える、Ｃ２６に記載のコンピュータ可読記憶媒体。
［Ｃ２８］
前記方法は、
前記ペアワイズ一時キーに基づいてメッセージ完全性コード（ＭＩＣ）を生成することと、
前記メッセージ完全性コードを示すための前記関連付けリクエストを生成することと、
をさらに備える、Ｃ２６に記載のコンピュータ可読記憶媒体。
［Ｃ２９］
前記方法は、
関連付け識別子を前記メンバーデバイスに割り当てることと、
前記メンバーデバイスの前記関連付け識別子を示すための前記関連付けリクエストをさらに生成することと、
をさらに備える、Ｃ２８に記載のコンピュータ可読記憶媒体。
［Ｃ３０］
前記方法は、
前記関連付けレスポンスから関連付け識別子を復号することと、
前記関連付け識別子を備えるためのメッシュメッセージを生成することと、
前記メッシュメッセージを前記メンバーデバイスへ送信することと、
をさらに備える、Ｃ２８に記載のコンピュータ可読記憶媒体。
［Ｃ３１］
前記方法は、
前記パスワードに基づいて第１のメッセージ完全性コード（ＭＩＣ）を生成することと、
第２のメッセージ完全性コード（ＭＩＣ）を決定するために前記関連付けレスポンスを復号することと、
前記第１のメッセージ完全性コード（ＭＩＣ）を前記第２のメッセージ完全性コード（ＭＩＣ）と比較することと、
前記非メンバーデバイスが前記メンバーデバイスに関連付けられているかどうかを、前記比較に基づいて決定することと、
をさらに備える、Ｃ２５に記載のコンピュータ可読記憶媒体。
［Ｃ３２］
前記方法は、
前記関連付けレスポンスからグループキーを復号することと、
第２の非メンバーデバイスからのメッシュメッセージを受信することと、
前記グループキーに基づいて前記メッシュメッセージを復号することと、
をさらに備える、Ｃ２５に記載のコンピュータ可読記憶媒体。
［Ｃ３３］
前記方法は、
前記関連付けレスポンスからグループキーを復号することと、
シーケンス番号を備えるためのパスリクエストメッセージを生成することと、
前記グループキーに基づいて前記パスリクエストメッセージを暗号化することと、
前記暗号化されたパスリクエストメッセージを前記メッシュネットワーク上で送信することと、
をさらに備える、Ｃ２５に記載のコンピュータ可読記憶媒体。
［Ｃ３４］
前記方法は、
前記メッシュの第２のメンバーデバイスからのパスレスポンスメッセージを受信することと、
前記グループキーに基づいて前記パスレスポンスメッセージを暗号解読することと、
前記暗号解読されたパスレスポンスメッセージから前記シーケンス番号を復号することと、
前記暗号解読されたパスレスポンスに基づいて前記第２のメンバーデバイスに関連付けることと、
をさらに備える、Ｃ３３に記載のコンピュータ可読記憶媒体。
［Ｃ３５］
前記方法は、前記メッシュ上の通信で使用するためのインターネットプロトコルアドレスを前記関連付けレスポンスから復号することをさらに備える、Ｃ２５に記載のコンピュータ可読記憶媒体。
［Ｃ３６］
前記方法は、前記メッシュネットワーク上の通信で前記非メンバーデバイスによって使用するために提案されるインターネットプロトコルアドレスの少なくとも一部分を示すための前記認証リクエストを生成することをさらに備える、Ｃ２５に記載のコンピュータ可読記憶媒体。
［Ｃ３７］
メッシュネットワーク上のピアに関連付けるための装置であって、
パスワードに基づいて認証リクエストを生成するための手段と、
前記メッシュネットワークのメンバーデバイスへ前記認証リクエストを送信するための手段と、
前記メンバーデバイスからの認証レスポンスを受信するための手段と、
前記認証レスポンスおよび前記パスワードに基づいて関連付けリクエストを生成するための手段と、
前記関連付けリクエストを前記メンバーデバイスへ送信するための手段と、
前記メンバーデバイスからの関連付けレスポンスを受信するための手段と、
を備える、装置。
［Ｃ３８］
前記認証レスポンスに基づいてペアワイズマスターキー（ＰＭＫ）を生成するための手段と、
前記認証レスポンスからナンスを復号するための手段と、
前記ペアワイズマスターキー（ＰＭＫ）および前記ナンスに基づいてペアワイズ一時キー（ＰＴＫ）を生成するための手段と、
前記ペアワイズ一時キーに基づいて前記関連付けリクエストを生成するための手段と、
をさらに備える、Ｃ３７に記載の装置。
［Ｃ３９］
メッシュピアリングインスタンス識別子に基づいて前記ペアワイズ一時キー（ＰＴＫ）を生成するための手段をさらに備える、Ｃ３８に記載の装置。
［Ｃ４０］
前記ペアワイズ一時キーに基づいてメッセージ完全性コード（ＭＩＣ）を生成するための手段と、
前記メッセージ完全性コードを示すための前記関連付けリクエストを生成するための手段と、
をさらに備える、Ｃ３８に記載の装置。
［Ｃ４１］
関連付け識別子を前記メンバーデバイスに割り当てるための手段と、
前記メンバーデバイスの前記関連付け識別子を示すための前記関連付けリクエストをさらに生成するための手段と
をさらに備える、Ｃ４０に記載の装置。
［Ｃ４２］
関連付け識別子を決定するために前記関連付けレスポンスを復号するための手段と、
前記関連付け識別子を備えるためのメッシュメッセージを生成するための手段と、
前記メッシュメッセージを前記メンバーデバイスへ送信するための手段と、
をさらに備える、Ｃ４０に記載の装置。
［Ｃ４３］
前記パスワードに基づいて第１のメッセージ完全性コード（ＭＩＣ）を生成するための手段と、
第２のメッセージ識別コード（ＭＩＣ）を決定するために前記関連付けレスポンスを復号するための手段と、
前記第１のメッセージ完全性コードを前記第２のメッセージ完全性コードと比較するための手段と、
前記非メンバーデバイスが前記メンバーデバイスに関連付けられているかどうかを、前記比較に基づいて決定するための手段と、
をさらに備える、Ｃ３７に記載の装置。
［Ｃ４４］
前記関連付けレスポンスからグループキーを復号するための手段と、
第２の非メンバーデバイスからのメッシュメッセージを受信するための手段と、
前記グループキーに基づいて前記メッシュメッセージを復号するための手段と
をさらに備える、Ｃ３７に記載の装置。
［Ｃ４５］
前記関連付けレスポンスからグループキーを復号するための手段と、
シーケンス番号を備えるためのパスリクエストメッセージを生成するための手段と、
前記グループキーに基づいて前記パスリクエストメッセージを暗号化するための手段と、
前記暗号化されたパスリクエストメッセージを前記メッシュネットワーク上で送信するための手段と、
をさらに備える、Ｃ３７に記載の装置。
［Ｃ４６］
前記メッシュの第２のメンバーデバイスからのパスレスポンスメッセージを受信するための手段と、
前記グループキーに基づいて前記パスレスポンスメッセージを復号するための手段と、
前記復号されたパスレスポンスメッセージから前記シーケンス番号を復号するための手段と、
前記復号されたパスレスポンスメッセージに基づいて前記第２のメンバーデバイスに関連付けるための手段と、
をさらに備える、Ｃ４５に記載の装置。
［Ｃ４７］
前記メッシュ上の通信で使用するためのインターネットプロトコルアドレスを前記関連付けレスポンスから復号するための手段をさらに備える、Ｃ３７に記載の装置。
［Ｃ４８］
前記メッシュネットワーク上の通信で前記非メンバーデバイスによって使用するために提案されるインターネットプロトコルアドレスの少なくとも一部分を示すための前記認証リクエストを生成するための手段をさらに備える、Ｃ３７に記載の装置。
［Ｃ４９］
メッシュネットワークの非メンバーデバイスを、前記メッシュネットワークのメンバーデバイスに関連付ける方法であって、
前記メッシュネットワークの前記メンバーデバイスによって認証リクエストを受信することと、
前記メンバーデバイスから前記非メンバーデバイスへ認証レスポンスを送信することと、ここにおいて、前記認証レスポンスはパスワードに基づく、
前記非メンバーデバイスからの関連付けリクエストを前記メンバーデバイスによって受信することと、
前記メンバーデバイスから前記非メンバーデバイスへ関連付けレスポンスを送信することと、ここにおいて、前記関連付けレスポンスは前記パスワードに基づく、
を備える、方法。
［Ｃ５０］
前記認証リクエストからナンスを復号することと、
前記認証リクエストに基づいてペアワイズマスターキー（ＰＭＫ）を生成することと、
前記ペアワイズマスターキー（ＰＭＫ）および前記ナンスに基づいてペアワイズ一時キー（ＰＴＫ）を生成することと、
前記ペアワイズ一時キーに基づいて前記関連付けレスポンスを生成することと、
をさらに備える、Ｃ４９に記載の方法。
［Ｃ５１］
メッシュピアリングインスタンス識別子に基づいて前記ペアワイズ一時キー（ＰＴＫ）を生成することをさらに備える、Ｃ５０に記載の方法。
［Ｃ５２］
前記ペアワイズ一時キーに基づいてメッセージ完全性コード（ＭＩＣ）を生成することと、
前記メッセージ完全性コードを示すための前記関連付けレスポンスを生成することと、
をさらに備える、Ｃ５０に記載の方法。
［Ｃ５３］
関連付け識別子を前記非メンバーデバイスに割り当てることと、
前記非メンバーデバイスの前記関連付け識別子を示すための前記関連付けレスポンスをさらに生成することと、
をさらに備える、Ｃ５２に記載の方法。
［Ｃ５４］
関連付け識別子を決定するために前記関連付けリクエストを復号することと、
前記関連付け識別子を備えるためのメッシュメッセージを生成することと、
前記メッシュメッセージを前記非メンバーデバイスへ送信することと、
をさらに備える、Ｃ５２に記載の方法。
［Ｃ５５］
前記パスワードに基づいて第１のメッセージ完全性コード（ＭＩＣ）を生成することと、
第２のメッセージ完全性コード（ＭＩＣ）を決定するために前記関連付けリクエストを復号することと、
前記第１のメッセージ完全性コード（ＭＩＣ）を前記第２のメッセージ完全性コード（ＭＩＣ）と比較することと、
前記非メンバーデバイスが前記メンバーデバイスに関連付けられているかどうかを、前記比較に基づいて決定することと、
をさらに備える、Ｃ４９に記載の方法。
［Ｃ５６］
前記メッシュネットワークに関するグループキーを含めるための前記関連付けレスポンスを生成することと、
前記メッシュネットワークからのメッセージを受信することと、
前記グループキーに基づいて前記メッセージを復号することと、
をさらに備える、Ｃ４９に記載の方法。
［Ｃ５７］
前記非メンバーデバイスとの通信で使用するためのインターネットプロトコルアドレスを前記関連付けリクエストから復号することをさらに備える、Ｃ４９に記載の方法。
［Ｃ５８］
前記メッシュネットワーク上の前記非メンバーデバイスとの通信で前記メンバーデバイスによって使用するために提案されるインターネットプロトコルアドレスの少なくとも一部分を示すための前記認証レスポンスを生成することをさらに備える、Ｃ４９に記載の方法。
［Ｃ５９］
メッシュネットワークの非メンバーデバイスに関連付けるための前記メッシュネットワークのメンバー装置であって、
前記非メンバーデバイスからの認証リクエストを受信するように構成された受信機と、
前記メンバー装置から前記非メンバーデバイスへ認証レスポンスを送信するように構成された送信機と、ここにおいて、前記認証レスポンスはパスワードに基づく、
を備え、
前記受信機は、前記非メンバーデバイスからの関連付けリクエストを受信するようにさらに構成され、
前記送信機は、前記非メンバー装置から前記非メンバーデバイスへ関連付けレスポンスを送信するようにさらに構成され、前記関連付けレスポンスは前記パスワードに基づく、メンバー装置。
［Ｃ６０］
プロセッサをさらに備え、前記プロセッサは、
前記認証リクエストからナンスを復号することと、
前記認証リクエストに基づいてペアワイズマスターキー（ＰＭＫ）を生成することと、
前記ペアワイズマスターキー（ＰＭＫ）および前記ナンスに基づいてペアワイズ一時キー（ＰＴＫ）を生成することと、
前記ペアワイズ一時キーに基づいて前記関連付けレスポンスを生成することと、
を行うように構成される、Ｃ５９に記載の装置。
［Ｃ６１］
前記プロセッサは、メッシュピアリングインスタンス識別子に基づいて前記ペアワイズ一時キー（ＰＴＫ）を生成するようにさらに構成される、Ｃ６０に記載の装置。
［Ｃ６２］
前記プロセッサは、
前記ペアワイズ一時キーに基づいてメッセージ完全性コード（ＭＩＣ）を生成することと、
前記メッセージ完全性コードを示すための前記関連付けレスポンスを生成することと、
を行うようにさらに構成される、Ｃ６０に記載の装置。
［Ｃ６３］
前記プロセッサは、
関連付け識別子を前記非メンバーデバイスに割り当てることと、
前記非メンバーデバイスの前記関連付け識別子を示すための前記関連付けレスポンスをさらに生成することと、
を行うようにさらに構成される、Ｃ６２に記載の装置。
［Ｃ６４］
プロセッサをさらに備え、前記プロセッサは、
前記パスワードに基づいて第１のメッセージ完全性コード（ＭＩＣ）を生成することと、
第２のメッセージ完全性コード（ＭＩＣ）を決定するために前記関連付けリクエストを復号することと、
前記第１のメッセージ完全性コード（ＭＩＣ）を前記第２のメッセージ完全性コード（ＭＩＣ）と比較することと、
前記非メンバーデバイスが前記メンバーデバイスに関連付けられているかどうかを、前記比較に基づいて決定することと、
を行うようにさらに構成される、Ｃ５９に記載の装置。
［Ｃ６５］
プロセッサをさらに備え、
前記プロセッサは、前記メッシュネットワークに関するグループキーを含めるための前記関連付けレスポンスを生成するように構成され、
前記受信機は、前記メッシュネットワークからのメッセージを受信するようにさらに構成され、
前記プロセッサは、前記グループキーに基づいて前記メッセージを復号するようにさらに構成される、Ｃ５９に記載の装置。
［Ｃ６６］
プロセッサをさらに備え、前記プロセッサは、
関連付け識別子を決定するために前記関連付けリクエストを復号することと、
前記関連付け識別子を備えるためのメッシュメッセージを生成することと、
を行うように構成され、
前記送信機は、前記メッシュメッセージを前記非メンバーデバイスへ送信するようにさらに構成される、Ｃ５９に記載の装置。
［Ｃ６７］
プロセッサをさらに備え、前記プロセッサは、前記非メンバーデバイスとの通信で使用するためのインターネットプロトコルアドレスを前記関連付けリクエストから復号するように構成される、Ｃ５９に記載の装置。
［Ｃ６８］
プロセッサをさらに備え、前記プロセッサは、前記メッシュネットワーク上の前記非メンバーデバイスとの通信で前記メンバーデバイスによって使用するために提案されるインターネットプロトコルアドレスの少なくとも一部分を示すための前記認証レスポンスを生成するように構成される、Ｃ５９に記載の装置。
［Ｃ６９］
メッシュネットワークの非メンバーデバイスに関連付けるための前記メッシュネットワークのメンバー装置であって、
前記非メンバーデバイスからの認証リクエストを受信するための手段と、
前記メンバー装置から前記非メンバーデバイスへ認証レスポンスを送信するための手段と、ここにおいて、前記認証レスポンスはパスワードに基づく、
前記非メンバーデバイスからの関連付けリクエストを受信するための手段と、
前記メンバー装置から前記非メンバーデバイスへ関連付けレスポンスを送信するための手段と、ここにおいて、前記関連付けレスポンスは前記パスワードに基づく、
を備える、メンバー装置。
［Ｃ７０］
前記認証リクエストからナンスを復号するための手段と、
前記認証リクエストに基づいてペアワイズマスターキー（ＰＭＫ）を生成するための手段と、
前記ペアワイズマスターキー（ＰＭＫ）および前記ナンスに基づいてペアワイズ一時キー（ＰＴＫ）を生成するための手段と、
前記ペアワイズ一時キーに基づいて前記関連付けレスポンスを生成するための手段と、
をさらに備える、Ｃ６９に記載の装置。
［Ｃ７１］
メッシュピアリングインスタンス識別子に基づいて前記ペアワイズ一時キー（ＰＴＫ）を生成するための手段をさらに備える、Ｃ７０に記載の装置。
［Ｃ７２］
前記ペアワイズ一時キーに基づいてメッセージ完全性コード（ＭＩＣ）を生成するための手段と、
前記メッセージ完全性コードを示すための前記関連付けレスポンスを生成するための手段と、
をさらに備える、Ｃ７０に記載の装置。
［Ｃ７３］
関連付け識別子を前記非メンバーデバイスに割り当てるための手段と、
前記非メンバーデバイスの前記関連付け識別子を示すための前記関連付けレスポンスをさらに生成するための手段と、
をさらに備える、Ｃ７２に記載の装置。
［Ｃ７４］
関連付け識別子を決定するために前記関連付けリクエストを復号するための手段と、
前記関連付け識別子を備えるためのメッシュメッセージを生成するための手段と、
前記メッシュメッセージを前記非メンバーデバイスへ送信するための手段と、
をさらに備える、Ｃ７２に記載の装置。
［Ｃ７５］
前記パスワードに基づいて第１のメッセージ完全性コード（ＭＩＣ）を生成するための手段と、
第２のメッセージ完全性コード（ＭＩＣ）を決定するために前記関連付けリクエストを復号するための手段と、
前記第１のメッセージ完全性コード（ＭＩＣ）を前記第２のメッセージ完全性コード（ＭＩＣ）と比較するための手段と、
前記非メンバーデバイスが前記メンバーデバイスに関連付けられているかどうかを、前記比較に基づいて決定するための手段と、
をさらに備える、Ｃ６９に記載の装置。
［Ｃ７６］
前記メッシュネットワークに関するグループキーを含めるための前記関連付けレスポンスを生成するための手段と、
前記メッシュネットワークからのメッセージを受信するための手段と、
前記グループキーに基づいて前記メッセージを復号するための手段と、
をさらに備える、Ｃ６９に記載の装置。
［Ｃ７７］
前記非メンバーデバイスとの通信で使用するためのインターネットプロトコルアドレスを前記関連付けリクエストから復号するための手段をさらに備える、Ｃ６９に記載の装置。
［Ｃ７８］
前記メッシュネットワーク上の前記非メンバーデバイスとの通信で前記メンバーデバイスによって使用するために提案されるインターネットプロトコルアドレスの少なくとも一部分を示すための前記認証レスポンスを生成するための手段、をさらに備える、Ｃ６９に記載の装置。
［Ｃ７９］
実行されたとき、メッシュネットワークの非メンバーデバイスを、前記メッシュネットワークのメンバーデバイスに関連付ける方法をプロセッサに実行させる命令を備えるコンピュータ可読記憶媒体であって、前記方法は、
前記非メンバーデバイスからの認証リクエストを前記メンバーデバイスによって受信することと、
前記メンバーデバイスから前記非メンバーデバイスへ認証レスポンスを送信することと、前記認証レスポンスはパスワードに基づく、
前記非メンバーデバイスからの関連付けリクエストを前記メンバーデバイスによって受信することと、
前記メンバーデバイスから前記非メンバーデバイスへ関連付けレスポンスを送信することと、前記関連付けレスポンスは前記パスワードに基づく、
を備える、コンピュータ可読記憶媒体。
［Ｃ８０］
前記方法は、
前記認証リクエストからナンスを復号することと、
前記認証リクエストに基づいてペアワイズマスターキー（ＰＭＫ）を生成することと、
前記ペアワイズマスターキー（ＰＭＫ）および前記ナンスに基づいてペアワイズ一時キー（ＰＴＫ）を生成することと、
前記ペアワイズ一時キーに基づいて前記関連付けレスポンスを生成することと、
をさらに備える、Ｃ７９に記載のコンピュータ可読記憶媒体。
［Ｃ８１］
前記方法は、メッシュピアリングインスタンス識別子に基づいて前記ペアワイズ一時キー（ＰＴＫ）を生成することをさらに備える、Ｃ８０に記載のコンピュータ可読記憶媒体。
［Ｃ８２］
前記方法は、
前記ペアワイズ一時キーに基づいてメッセージ完全性コード（ＭＩＣ）を生成することと、
前記メッセージ完全性コードを示すための前記関連付けレスポンスを生成することと、
をさらに備える、Ｃ８０に記載のコンピュータ可読記憶媒体。
［Ｃ８３］
前記方法は、
関連付け識別子を前記非メンバーデバイスに割り当てることと、
前記非メンバーデバイスの前記関連付け識別子を示すための前記関連付けレスポンスをさらに生成することと、
をさらに備える、Ｃ８２に記載のコンピュータ可読記憶媒体。
［Ｃ８４］
前記方法は、
関連付け識別子を決定するために前記関連付けリクエストを復号することと、
前記関連付け識別子を備えるためのメッシュメッセージを生成することと、
前記メッシュメッセージを前記非メンバーデバイスへ送信することと、
をさらに備える、Ｃ８２に記載のコンピュータ可読記憶媒体。
［Ｃ８５］
前記方法は、
前記パスワードに基づいて第１のメッセージ完全性コード（ＭＩＣ）を生成することと、
第２のメッセージ完全性コード（ＭＩＣ）を決定するために前記関連付けリクエストを復号することと、
前記第１のメッセージ完全性コード（ＭＩＣ）を前記第２のメッセージ完全性コード（ＭＩＣ）と比較することと、
前記非メンバーデバイスが前記メンバーデバイスに関連付けられているかどうかを、前記比較に基づいて決定することと、
をさらに備える、Ｃ７９に記載のコンピュータ可読記憶媒体。
［Ｃ８６］
前記方法は、
前記メッシュネットワークに関するグループキーを含めるための前記関連付けレスポンスを生成することと、
前記メッシュネットワークからのメッセージを受信することと、
前記グループキーに基づいて前記メッセージを復号することと、
をさらに備える、Ｃ７９に記載のコンピュータ可読記憶媒体。
［Ｃ８７］
前記方法は、前記非メンバーデバイスとの通信で使用するためのインターネットプロトコルアドレスを前記関連付けリクエストから復号することをさらに備える、Ｃ７９に記載のコンピュータ可読記憶媒体。
［Ｃ８８］
前記方法は、前記メッシュネットワーク上の前記非メンバーデバイスとの通信で前記メンバーデバイスによって使用するために提案されるインターネットプロトコルアドレスの少なくとも一部分を示すための前記認証レスポンスを生成することをさらに備える、Ｃ７９に記載のコンピュータ可読記憶媒体。